(57)【要約】【課題】ケーブルの特性や作業性に優れていると共にケーブルの細径化に適し、しかも、複数の光ファイバの端末部を正規の配列に容易に揃えることができる。【解決手段】複数の光ファイバ心線２の隣り合うもの同士がテープ長さ方向Ｌに間欠的に連結部３によって連結され、且つ、各連結部３がテープ幅方向Ｗに重ならない位置に設けられた光ファイバテープ心線１Ａであって、光ファイバ心線２の本数をＮ本（Ｎは４以上の整数）とすると、テープ長さ方向Ｌに連続して設ける（Ｎ−１）個の連結部３によって全ての光ファイバ心線２間を連結する一定の連結パターンが周期的に繰り返され、一定の連結パターンは、テープ幅方向Ｗの最も端に位置する連結部３を基準とすると、それ以降の連結部３が同一周期内のそれまでに連結されなかった光ファイバ心線２間の内で最も遠くに位置する光ファイバ心線２間を順次連結する配列である。【選択図】図１
2011064874.tif 000002
【特許請求の範囲】
【請求項１】
複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、
前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、
前記一定の連結パターンは、テープ幅方向の最も端に位置する前記連結部を基準とすると、それ以降の前記連結部が同一周期内のそれまでに連結されなかった前記光ファイバ間の内で最も遠くに位置する前記光ファイバ間を順次連結する配列であることを特徴とする光ファイバテープ心線。
【請求項２】
複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、
前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、
前記一定の連結パターンは、ｎ番目（１＜ｎ≦Ｎ）の前記連結部が、（ｎ−１）番目までに連結されなかった前記光ファイバが存在する場合には、（ｎ−１）番目までに連結されなかった前記光ファイバ同士を連結し、（ｎ−１）番目までに連結されなかった前記光ファイバが存在しない場合には、（ｎ−１）番目までに連結された前記光ファイバ同士を連結する配列であることを特徴とする光ファイバテープ心線。
【請求項３】
複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、
前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、
前記一定の連結パターンは、複数の連結部を含むテープ長さ方向の領域で全ての前記光ファイバを挟み込み、挟み込んだ領域をテープ長さ方向に移動し、この移動時に複数の前記連結部を中心に力が伝搬し、この伝搬する力のベクトルの合力がほぼテープ長さ方向となる配列であることを特徴とする光ファイバテープ心線。
【請求項４】
請求項１〜請求項３のいずれかに記載の光ファイバテープ心線であって、
前記光ファイバは、光ファイバ心線若しくは光ファイバ素線であることを特徴とする光ファイバテープ心線。
【請求項５】
請求項１〜請求項３のいずれかに記載の光ファイバテープ心線であって、
前記光ファイバは、一体化されたテープ心線若しくは間欠固定されたテープ心線であることを特徴とする光ファイバテープ心線。
【請求項６】
請求項１〜請求項５のいずれかに記載された光ファイバテープ心線を使用したことを特徴とする光ファイバケーブル。
【請求項７】
請求項１〜請求項５のいずれかに記載された光ファイバテープ心線を使用したことを特徴とする光ファイバコード。
【発明の詳細な説明】
【技術分野】
【０００１】
本発明は、複数本の光ファイバの隣り合うもの同士がテープ長さ方向に間欠的に連結された光ファイバテープ心線、これを用いた光ファイバケーブル及び光ファイバコードに関する。
【背景技術】
【０００２】
この種の従来例の光ファイバテープ心線としては、図８に示すものが提案されている（特許文献１参照）。この光ファイバテープ心線５０は、図８に示すように、複数本の光ファイバ５１の全てがテープ長さ方向Ｌに間欠的に配置された一括連結部５２によって連結されている。つまり、隣り合う光ファイバ５１間の全ては、テープ長さ方向Ｌの同じ位置で一括して連結されている。
【０００３】
この光ファイバテープ心線５０では、テープ長さ方向Ｌの同じ位置で一括して連結されているため、テープ幅方向Ｗの変形性、柔軟性に劣り、又、分離性も劣る。そのため、ケーブルの特性や作業性が劣ったり、ケーブルの細径化に適していない。
【０００４】
一方、他の従来例の光ファイバテープ心線としては、図９に示すものがある（特許文献２参照）。この光ファイバテープ心線６０は、図９に示すように、複数本の光ファイバ６１の隣り合うもの同士がテープ長さ方向Ｌに間欠的に配置された複数の連結部６２によって連結されている。異なる光ファイバ６１間を連結する各連結部６２は、テープ幅方向Ｗに重ならない位置に設定されている。
【０００５】
この光ファイバテープ心線６０では、各連結部６２がテープ幅方向Ｗに重ならないため、テープ幅方向Ｗの変形性、柔軟性に優れ、又、分離性も優れている。そのため、ケーブルの特性や作業性に優れていると共にケーブルの細径化に適している。
【先行技術文献】
【特許文献】
【０００６】
【特許文献１】特開２００５−１１４８３０号公報
【特許文献２】特許第４１４３６５１号公報
【発明の概要】
【発明が解決しようとする課題】
【０００７】
しかしながら、他の従来例の光ファイバテープ心線６０にあっては、異なる光ファイバ６１間を連結する各連結部６２がテープ長さ方向Ｌにシフトした位置に位置するため、光ファイバ６１の端末部を正規の配列で揃える作業が次の理由により面倒であり、端末での一括接続作業性が悪いという問題がある。
【０００８】
つまり、複数本の光ファイバ６１の端末部の整列作業は、図１０に示すように、複数の連結部６２を含む領域Ｅ２で全ての光ファイバ６１を平らな部材（例えば板、フェルト）や作業者の指で挟み込み、この挟み込んだ領域Ｅ２をテープ長さ方向Ｌに移動させることによって行うのが一般的である。ここで、例えば３箇所の連結部６２を含む領域Ｅ２を挟み込んだとすると、挟み込んだ連結部６２で連結される光ファイバ６１の本数が４本であり、全体本数８本の半分しか初期時に整列しない。従って、その後の整列本数が多く、整列作業性が悪い。
【０００９】
又、光ファイバテープ心線６０の一部領域Ｅ２を挟み込んだ場合に、最も安定する位置は連結部６２の位置であるので、挟み込んだ領域Ｅ２をテープ長さ方向Ｌに移動させる際に、安定位置である連結部６２を中心に力が伝搬されることになる。そして、この伝搬する力のベクトルは、図１１にて破線矢印で示すように、テープ長さ方向Ｌに対して傾斜する方向となるため、この伝搬力によってテープ幅方向Ｗへの曲がりが発生する。具体的には、図１１の力のベクトルをテープ長さ方向Ｌとテープ幅方向Ｗのベクトル成分に分けた場合に、テープ幅方向Ｗのベクトル成分の方向に向かって曲がりが発生する。
テープ幅方向Ｗへの曲がりは各光ファイバ６１間の線長差を生み、結果的に整列に支障を来す。以上によって、光ファイバ６１の端末部を正規の配列で揃える作業が面倒である。
【００１０】
そこで、本発明は、前記した課題を解決すべくなされたものであり、ケーブルの特性や作業性に優れていると共にケーブルの細径化に適し、しかも、複数の光ファイバの端末部を正規の配列に容易に揃えることができ、端末での一括接続作業性が良い光ファイバテープ心線、これを用いた光ファイバケーブル及び光ファイバコードを提供することを目的とする。
【課題を解決するための手段】
【００１１】
第１の発明は、複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、前記一定の連結パターンは、テープ幅方向の最も端に位置する前記連結部を基準とすると、それ以降の前記連結部が同一周期内のそれまでに連結されなかった前記光ファイバ間の内で最も遠くに位置する前記光ファイバ間を順次連結する配列であることを特徴とする光ファイバテープ心線である。
【００１２】
第２の発明は、複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、前記一定の連結パターンは、ｎ番目（１＜ｎ≦Ｎ）の前記連結部が、（ｎ−１）番目までに連結されなかった前記光ファイバが存在する場合には、（ｎ−１）番目までに連結されなかった前記光ファイバ同士を連結し、（ｎ−１）番目までに連結されなかった前記光ファイバが存在しない場合には、（ｎ−１）番目までに連結された前記光ファイバ同士を連結する配列であることを特徴とする光ファイバテープ心線である。
【００１３】
第３の発明は、複数の光ファイバの隣り合うもの同士がテープ長さ方向に間欠的に連結部によって連結され、且つ、異なる前記光ファイバ間を連結する前記各連結部がテープ幅方向に重ならない位置に設けられた光ファイバテープ心線であって、前記光ファイバの本数をＮ本（Ｎは４以上の整数）とすると、テープ長さ方向に連続して設ける（Ｎ−１）個の前記連結部によって全ての前記光ファイバ間を連結する一定の連結パターンが繰り返され、前記一定の連結パターンは、複数の連結部を含むテープ長さ方向の領域で全ての前記光ファイバを挟み込み、挟み込んだ領域をテープ長さ方向に移動し、この移動時に複数の前記連結部を中心に力が伝搬し、この伝搬する力のベクトルの合力がほぼテープ長さ方向となる配列であることを特徴とする光ファイバテープ心線である。
【００１４】
また、これら各光ファイバテープ心線を使用した光ファイバケーブル又は光ファイバコードである。
【発明の効果】
【００１５】
各発明によれば、ケーブルの特性や作業性に優れていると共にケーブルの細径化に適し、しかも、複数の光ファイバの端末部を正規の配列に容易に揃えることができ、端末での一括接続作業性が良い光ファイバテープ心線、これを用いた光ファイバケーブル及び光ファイバコードを提供できる。
【図面の簡単な説明】
【００１６】
【図１】本発明の第１実施形態を示し、は光ファイバテープ心線の平面図である。
【図２】本発明の第１実施形態を示し、光ファイバテープ心線の一部領域を平らな部材等で挟み込んだ状態を示す平面図である。
【図３】本発明の第１実施形態を示し、挟み込んだ領域をテープ長さ方向に移動させた場合に伝搬する力のベクトルを表示した平面図である。
【図４】本発明の第２実施形態を示し、光ファイバテープ心線の平面図である。
【図５】本発明の第３実施形態を示し、光ファイバテープ心線の平面図である。
【図６】本発明の第４実施形態を示し、光ファイバテープ心線の平面図である。
【図７】本発明の第４実施形態を示し、光ファイバテープ心線の一部領域を平らな部材等で挟み込んだ状態を示す平面図である。
【図８】従来例の光ファイバテープ心線の斜視図である。
【図９】他の従来例の光ファイバテープ心線の斜視図である。
【図１０】他の従来例に係る光ファイバテープ心線の一部領域を平らな部材等で挟み込んだ状態を示す平面図である。
【図１１】他の従来例に係る光ファイバテープ心線の一部領域を挟み込み、挟み込んだ領域をテープ長さ方向に移動させた場合に伝搬する力のベクトルを表示した平面図である。
【発明を実施するための形態】
【００１７】
以下、本発明の実施形態を図面に基づいて説明する。
（第１実施形態）
図１〜図３は本発明の第１実施形態を示し、図１は光ファイバテープ心線１Ａの平面図、図２は光ファイバテープ心線１Ａの一部領域Ｅ１を平らな部材で挟み込んだ状態を示す平面図、図３は挟み込んだ領域Ｅ１をテープ長さ方向Ｌに移動させた場合に伝搬する力のベクトルを表示した平面図である。
【００１８】
図１において、光ファイバテープ心線１Ａは、８心であり、８本の光ファイバである光ファイバ心線２より構成されている。８本の光ファイバ心線２は、隣り合うもの同士が並列で、且つ、密接状態で並べられている。
【００１９】
８本の光ファイバ心線２の隣り合うもの同士は、テープ長さ方向Ｌに複数の連結部３によって間欠的にそれぞれ連結されている。各連結部３は、紫外線硬化樹脂、熱硬化樹脂等によって形成されている。異なる光ファイバ心線２間を連結する各連結部３は、テープ幅方向Ｗに重ならない位置で、且つ、一定の連結パターンによって設けられている。
【００２０】
一定の連結パターンは、テープ長さ方向Ｌに連続して設けられる７個の連結部３が１周期とされている。つまり、この実施形態では、光ファイバ心線２の本数が８本であることから７個の連結部３によって全ての光ファイバ心線２間を連結できるため、７個の連結部３が１周期とされる。そして、一定の連結パターンが連続的に繰り返されている。
【００２１】
一定の連結パターンは、テープ幅方向Ｗの最も端に位置する連結部３を基準とすると、それ以降の連結部３が同一周期内のそれまでに連結されなかった光ファイバ心線２間の内で最も遠くに位置する光ファイバ心線２間を順次連結する配列とされている。
【００２２】
このように構成された間欠固定の光ファイバテープ心線１Ａを用いて光ファイバケーブル（図示せず）や光ファイバコード（図示せず）が作製される。
【００２３】
上記構成の光ファイバテープ心線１Ａ、これを用いた光ファイバケーブル（図示せず）及び光ファイバコード（図示せず）によれば、８本の光ファイバ心線２間が連結部３によって間欠固定され、各連結部３がテープ幅方向Ｗに重ならない位置に配置されているため、テープ幅方向Ｗの変形性、柔軟性に優れ、又、分離性にも優れている。
【００２４】
また、８本の光ファイバ心線２の端末部を正規の配列で揃える場合、図２に示すように、例えば３箇所の連結部３を含むテープ長さ方向Ｌの領域Ｅ１で全ての光ファイバ心線２を平らな部材（例えば板、フェルト）や作業者の指等で挟み込むが、挟み込んだ連結部３で連結される光ファイバ心線２の本数が５本と従来例より初期時の整列本数が多い。従って、その後の整列本数が少なく、整列作業性が良い。
【００２５】
全ての光ファイバ心線２を挟み込んだ後、挟み込んだ領域Ｅ１をテープ長さ方向Ｌに移動させるが、最も安定する位置は連結部３の位置であるので、挟み込んだ領域Ｅ１をテープ長さ方向Ｌに移動させる際に、図３にて破線矢印で示すように、安定位置となる連結部３を中心に力が伝搬されることになり、この伝搬する力のベクトルの合力が光ファイバテープ心線１Ａのほぼテープ長さ方向になるため、この伝搬力によってテープ幅方向Ｗへの曲がりが発生せず、曲がりによる各光ファイバ心線２間の線長差を生み出さない。
【００２６】
以上より、ケーブルの特性や作業性に優れていると共にケーブルの細径化に適し、しかも、複数の光ファイバ心線２の端末部を正規の配列に容易に揃えることができ、端末での一括接続作業性が良い。
【００２７】
（第２実施形態）
図４は本発明の第２実施形態を示し、図４は光ファイバテープ心線１Ｂの平面図である。
【００２８】
図４に示すように、この第２実施形態の光ファイバテープ心線１Ｂは、前記第１実施形態のものと比較するに、光ファイバの構成のみが相違する。
【００２９】
つまり、光ファイバテープ心線１Ｂは、１６心であり、８本の光ファイバであるテープ心線１０より構成されている。各テープ心線１０は、２本の光ファイバ心線（図示せず）とこれを長さ方向の全域で被覆する外被とから構成されている。つまり、各テープ心線１０は、２心の一体型のテープ心線である。
【００３０】
８本のテープ心線１０の隣り合うもの同士は、前記第１実施形態と同様に、複数の連結部１３によって間欠的にそれぞれ連結されている。そして、連結部１３の連結パターンも第１実施形態と同様であるため、重複説明を省略する。
【００３１】
このように構成された間欠固定の光ファイバテープ心線１Ｂを用いて光ファイバケーブル（図示せず）や光ファイバコード（図示せず）が作製される。
【００３２】
上記構成の光ファイバテープ心線１Ｂ、これを用いた光ファイバケーブル（図示せず）及び光ファイバコード（図示せず）によれば、前記第１実施形態と同様の作用・効果が得られる。
【００３３】
（第３実施形態）
図５は本発明の第３実施形態を示し、光ファイバテープ心線１Ｃの平面図である。
図５に示すように、この第３実施形態の光ファイバテープ心線１Ｃは、前記第１実施形態のものと比較するに、光ファイバの構成のみが相違する。
【００３４】
つまり、光ファイバテープ心線１Ｃは、３２心であり、８本の光ファイバであるテープ心線２０より構成されている。各テープ心線２０は、小ピッチで間欠固定された４本の光ファイバ心線２から構成されている。光ファイバ心線２の隣り合うもの同士は、その長さ方向に間欠的に小ピッチ連結部２１によって連結されている。この間欠固定のピッチは、Ｐ１である。
【００３５】
８本のテープ心線２０の隣り合う同士も、テープ長さ方向Ｌに連結部である大ピッチ連結部２２によって連結されている。この間欠固定のピッチは、Ｐ２である。Ｐ２は、Ｐ１より大きく設定されている。
【００３６】
各小ピッチ連結部２１と各大ピッチ連結部２２は、光ファイバテープ心線１Ｃの長さ方向の位置がシフトした位置に設けられている。図５では、各小ピッチ連結部２１と各大ピッチ連結部２２の相違を視覚上で明確化するため、大ピッチ連結部２２はハッチング表示してある。
【００３７】
そして、大ピッチ連結部２２の連結パターンは、第１実施形態と同様のパターンで配置されている。重複説明を回避するため、説明を省略する。
【００３８】
このように構成された間欠固定の光ファイバテープ心線１Ｃを用いて光ファイバケーブル（図示せず）や光ファイバコード（図示せず）が作製される。
【００３９】
上記構成の光ファイバテープ心線１Ｃ、これを用いた光ファイバケーブル（図示せず）及び光ファイバコード（図示せず）によれば、前記第１実施形態と略同様の作用・効果が得られる。
【００４０】
ここで、光ファイバテープ心線１Ｃの一部領域を挟み込んでテープ長さ方向Ｌに移動させる際に、安定位置となる大ピッチ連結部２２のみならず小ピッチ連結部２１においても力が伝搬される。しかし、各テープ心線２０内の光ファイバ心線２間は小ピッチ連結部２１で連結されているため、各テープ心線２０はほぼ一体とみなすことができる。従って、小ピッチ連結部２１を中心に伝搬される力のベクトルは、テープ幅方向Ｗへの曲がりの要因としては配慮しなくて良い。
【００４１】
つまり、光ファイバテープ心線１Ｃの一部領域を挟み込んでテープ長さ方向Ｌに移動させる際に、図５にて破線矢印で示すように、大ピッチ連結部２２を中心に力が伝搬される。この力のベクトルは、前記第１実施形態と同様の向きであり、この伝搬する力のベクトルの合力が光ファイバテープ心線１Ｃのほぼ長さ方向になるため、この伝搬力によってテープ幅方向Ｗへの曲がりが発生せず、曲がりによる各光ファイバ心線２間の線長差を生み出さない。
【００４２】
（第４実施形態）
図６及び図７は本発明の第４実施形態を示し、図６は光ファイバテープ心線１Ｄの平面図、図７は光ファイバテープ心線１Ｄの一部領域Ｅ１を平らな部材で挟み込んだ状態を示す平面図である。
【００４３】
図６において、光ファイバテープ心線１Ｄは、８心であり、８本の光ファイバである光ファイバ心線２より構成されている。８本の光ファイバ心線２は、隣り合うもの同士が並列で、且つ、密接状態で並べられている。
【００４４】
８本の光ファイバ心線２の隣り合うもの同士は、前記第１実施形態と同様に、テープ長さ方向Ｌに複数の連結部３によって間欠的に連結され、且つ、複数の連結部３が一定の連結パターンによって配置されている。しかし、その一定の連結パターンの構成が相違する。
【００４５】
つまり、一定の連結パターンは、ｎ番目（１＜ｎ≦８）の連結部３が、（ｎ−１）番目までに連結されなかった光ファイバ心線２が存在する場合には、（ｎ−１）番目までに連結されなかった光ファイバ心線２同士を連結し、（ｎ−１）番目までに連結されなかった光ファイバ心線２が存在しない場合には、（ｎ−１）番目までに連結された光ファイバ心線２同士を連結する配列とされている。
【００４６】
詳細には、図６において、光ファイバ心線２を上から順番に番号を付すと、４番目の連結部３までは、連結されていない光ファイバ心線２同士を連結するべく、符号１と符号２の光ファイバ心線２間、符号３と符号４の光ファイバ心線２間、符号５と符号６の光ファイバ心線２間、符号７と符号８の光ファイバ心線２間をこの順番でそれぞれ連結している。これ以降は、連結されていない光ファイバ心線２が存在しないため、符号２と符号３の光ファイバ心線２間、符号４と符号５の光ファイバ心線２間、符号７と符号８の光ファイバ心線２間をこの順番でそれぞれ連結している。これにより、隣り合う連結部３の間隔を広く設定するパターンとされている。
【００４７】
このように構成された間欠固定の光ファイバテープ心線１Ｄを用いて光ファイバケーブル（図示せず）や光ファイバコード（図示せず）が作製される。
【００４８】
上記構成の光ファイバテープ心線１Ｄ、これを用いた光ファイバケーブル（図示せず）及び光ファイバコード（図示せず）によれば、８本の光ファイバ心線２間が連結部３によって間欠固定され、各連結部３がテープ幅方向Ｗに重ならない位置に配置されているため、テープ幅方向Ｗの変形性、柔軟性に優れ、又、分離性にも優れている。また、８本の光ファイバ心線２の端末部を正規の配列で揃える場合、図７に示すように、３箇所の連結部３を含むテープ長さ方向Ｌの領域Ｅ１で全ての光ファイバ心線２を平らな部材（例えば板、フェルト）や作業者の指等で挟み込むが、挟み込んだ連結部３で連結される光ファイバ心線２の本数が６本と前記第１実施形態より初期時の整列本数が多いため、整列作業が更にスムーズに進む。従って、ケーブルの特性や作業性に優れていると共にケーブルの細径化に適し、しかも、複数の光ファイバ心線２の端末部を正規の配列に容易に揃えることができ、端末での一括接続作業性が良い。
【００４９】
その上、この第４実施形態では、隣り合う連結部３の間隔を広くする連結パターンに設定されているので、図７にて破線矢印で示すように、連結部３を中心に伝搬される力の各ベクトルがテープ長さ方向Ｌに対し小さい角度方向となり、且つ、これらベクトルの合力が光ファイバテープ心線１Ａのほぼテープ長さ方向Ｌになる。これにより、この伝搬力によってテープ幅方向Ｗへの曲がりが極力発生せず、曲がりによる各光ファイバ心線２間の線長差を極力生み出さない。又、連結部３を中心に伝搬される力がテープ長さ方向Ｌとテープ幅方向Ｗのほぼ全体・全域に均一に伝達されるため、曲がり難く、線長差が発生し難い。従って、複数の光ファイバの端末部を正規の配列に容易に揃えることができ、端末での一括接続作業性が更に良い。
【００５０】
（連結パターンの変形例）
次に、一定の連結パターンの変形例を説明する。
つまり、変形例の一定の連結パターンとしては、複数の連結部を含むテープ長さ方向の領域で全ての光ファイバを挟み込み、挟み込んだ領域をテープ長さ方向に移動し、この移動時に複数の連結部を中心に力が伝搬し、この伝搬する力のベクトルの合力がほぼテープ長さ方向となる配列が考えられる。
【００５１】
このように構成すれば、挟み込んだ領域をテープ長さ方向に移動させる際に、安定位置となる連結部を中心に力が伝搬されることになり、この伝搬する力のベクトルの合力がほぼテープ長さ方向になるため、この伝搬力によってテープ幅方向への曲がりが発生せず、曲がりによる各光ファイバ間の線長差を生み出さないで済む。又、連結部を中心に伝搬される力がテープ長さ方向とテープ幅方向のほぼ全体・全域に均一伝達されるため、曲がり難く、線長差が発生し難い。従って、複数の光ファイバの端末部を正規の配列に容易に揃えることができ、端末での一括接続作業性が良い。
【００５２】
（その他）
前記各実施形態では、光ファイバテープ心線１Ａ，１Ｂ，１Ｃ，１Ｄは、８本の光ファイバ（光ファイバ心線２、一体型のテープ心線１０、間欠固定のテープ心線２０）より構成されているが、光ファイバテープ心線が４本以上の光ファイバより構成されるものに本発明は適用可能である。
【００５３】
前記第１実施形態及び前記第４実施形態では、光ファイバが光ファイバ心線２にて構成され、前記第２実施形態では、光ファイバが一体型のテープ心線１０にて構成され、前記第３実施形態では、光ファイバが間欠固定のテープ心線２０にて構成されているが、光ファイバを光ファイバ素線にて構成しても良い。
【符号の説明】
【００５４】
１  光ファイバテープ心線
２  光ファイバ心線（光ファイバ）
３，１３  連結部
１０  一体型のテープ心線（光ファイバ）
２０  間欠固定のテープ心線（光ファイバ）
２２  大ピッチ連結部（連結部）
【図１】
2011064874.tif 000003
【図２】
2011064874.tif 000004
【図３】
2011064874.tif 000005
【図４】
2011064874.tif 000006
【図５】
2011064874.tif 000007
【図６】
2011064874.tif 000008
【図７】
2011064874.tif 000009
【図８】
2011064874.tif 000010
【図９】
2011064874.tif 000011
【図１０】
2011064874.tif 000012
【図１１】
2011064874.tif 000013